(57)【要約】【課題】記録装置の利用者の利便性を向上する。【解決手段】第一の記録媒体を受け付ける受付け手段と、その受付け手段が受けた第一の記録媒体に番組データを記録する記録手段と、番組データが第一の記録媒体に記録されてからの経過時間を計時する計時手段と、計時された経過時間が一定時間になっても上記第一の記録媒体が交換されること無く受けたままになっているか否かを検知する検知手段と、受けたままになっているとの検知結果が得られた場合に第一の記録媒体が受けたままになっていることを利用者に通知する通知手段とを備えるようにする。【選択図】図１
2010250941.tif 000002
【特許請求の範囲】
【請求項１】
第一の記録媒体を受け付ける受付け手段と、
前記受付け手段が受けた第一の記録媒体に、映像、音声及び文字のうちの少なくとも一つのデータを含んだ番組データを記録する記録手段と、
前記番組データが前記第一の記録媒体に記録されてからの経過時間を計時する計時手段と、
前記計時された経過時間が一定時間になっても前記受けた第一の記録媒体が交換されること無く受けたままになっているか否かを検知する検知手段と、
受けたままになっているとの第一の検知結果が得られた場合に前記第一の記録媒体が受けたままになっていることを利用者に通知する通知手段と
を備える記録装置。
【請求項２】
前記番組データを記憶することができる第二の記録媒体を更に備え、
前記記録手段が、前記番組データを前記第二の記録媒体に記録し、前記第二の記録媒体に記憶させた番組データを前記第一の記録媒体にコピー又は移動することで、前記第一の記録媒体に該番組データの記録を行う、
請求項１記載の記録装置。
【請求項３】
前記第一の記録媒体に記録されている番組データを再生する再生手段と、
前記計時された経過時間が一定時間になる前に前記記録された番組データが再生されたか否かを検知する別の検知手段と
を更に備え、
前記通知手段が、前記第一の検知結果に加え、前記番組データの再生が検知されなかったとの第二の検知結果が得られた場合に、前記第一の記録媒体が受けたままになっていることを前記利用者に通知する、
請求項１記載の記録装置。
【請求項４】
前記第一の記録媒体の残りの記録容量を判断する残容量判断手段を更に備え、
前記通知手段が、前記第一の検知結果に加え、前記判断された残りの記録容量が所定値以下であるとの判断結果を得た場合に、前記第一の記録媒体が受けたままになっていることを前記利用者に通知する、
請求項１又は３記載の記録装置。
【請求項５】
第一の記録媒体を受け付ける受付け手段と、
映像、音声及び文字のうちの少なくとも一つのデータを含んだ番組データを記憶することができる第二の記録媒体と、
前記番組データを前記第二の記録媒体に記録し、前記第二の記録媒体に記憶させた番組データを前記第一の記録媒体にコピーすることで、前記第一の記録媒体に該番組データの記録を行う記録手段と、
前記番組データが前記第一の記録媒体にコピーされてからの経過時間を計時する計時手段と、
前記計時された経過時間が一定時間になってもコピー元の番組データが前記第二の記録媒体に記憶されたままになっているか否かを検知する検知手段と、
記憶されたままになっているとの第一の検知結果が得られた場合に前記コピー元の番組データを削除候補として利用者に提示する提示手段と
を備える記録装置。
【請求項６】
前記第二の記録媒体に記憶されている番組データを再生する再生手段と、
前記計時された経過時間が一定時間になる前に前記コピー元の番組データが再生されたか否かを検知する別の検知手段と
を更に備え、
前記提示手段が、前記第一の検知結果に加え、前記コピー元の番組データの再生が検知されなかったとの第二の検知結果が得られた場合に、前記コピー元の番組データを削除候補として前記利用者に提示する、
請求項５記載の記録装置。
【請求項７】
前記第二の記録媒体の残りの記憶容量を判断する残容量判断手段を更に備え、
前記提示手段が、前記第一の検知結果に加え、前記判断された残りの記憶容量が所定値以下であるとの判断結果を得た場合に、前記コピー元の番組データを削除候補として前記利用者に提示する、
請求項５又は６記載の記録装置。
【発明の詳細な説明】
【技術分野】
【０００１】
本発明は、映像、音声及び文字のうちの少なくとも一つのデータを含んだ番組データを記録する記録装置に関する。
【背景技術】
【０００２】
ＣＳ（Communication Satellite）デジタル放送、ＢＳ（Broadcasting Satellite）デジタル放送、及び地上デジタル放送などの放送サービスが開始されている。これらのサービスの利用者は、デジタル放送信号に含まれている番組データ（映像、音声及び文字のうちの少なくとも一つを表すデータを含んだデータ）を記録する記録装置を用いることによって、所望の番組を録画することができる。
【０００３】
記録装置には、複数の記録媒体に対応できるもの、例えば、ハードディスクドライブ（以下、「ＨＤＤ」と略記する）を内蔵し、取り外し可能な記録媒体（例えばＤＶＤ（Digital Versatile Disk）、以下、「リムーバブル記録媒体」）に対応できるものがある。
【０００４】
ＨＤＤは、多くの番組データを記録することができる一方、内蔵型の場合には交換や持ち運びができないといった問題がある。さらに、記憶容量を確保するためには、ＨＤＤ内に蓄積された番組データを、リムーバブル記録媒体に移動させるか、あるいはＨＤＤから消去するかしなければならないという問題がある。
【０００５】
特許文献１には、ＨＤＤに記録されていたデータを、ＤＶＤにコピーあるいは移動等を行って記録し、ＨＤＤに記録されている元の番組データを消去する処理が開示されている。
【先行技術文献】
【特許文献】
【０００６】
【特許文献１】特開２００２−３００５１７号公報
【発明の概要】
【発明が解決しようとする課題】
【０００７】
ところで、例えば、第一の記録媒体（例えばリムーバブル記録媒体）に、第二の記録媒体（例えば内蔵型のＨＤＤ）に記録した番組データをコピーあるいは移動する場合、第一の記録媒体を記録装置に搭載（例えばトレーに挿入あるいはコネクタに接続）する必要がある。番組の品質が高まれば（例えば、ハイビジョン放送番組であれば）、番組データの容量は、より大容量になり、コピーあるいは移動に要する時間が長くなる。さらに、番組データのコピー中あるいは移動中は、記録装置の別の機能が使えなくなることもある。このため、利用者は、空き時間（例えば、放送を視聴していない時や就寝中など）に番組データのコピーあるいは移動を行うことがある。
【０００８】
これらの事情から、第一の記録媒体を搭載したまま取り外すことを忘れることが起こりやすいと考えられる。
【０００９】
第一の記録媒体が無用に搭載されたまま、記憶装置の起動が実行されると、記憶装置は、起動時に、搭載されたままになっている第一の記録媒体から情報を読み込むなどの特段の動作を行うため、第一の記録媒体が搭載されていない場合に比べ、起動に要する時間が長くなってしまう。
【００１０】
また、記録装置を複数の利用者が共用するような場合、第一の記録媒体が無用に搭載されたままになっていると、他人の第一の記録媒体が搭載されたままになっており、使用するたびに、他人の第一の記録媒体を取り外さなければならない。
【００１１】
一方、別の問題として、第二の記録媒体に記録した番組データを、第二の記録媒体に番組データを残すか残さないかを考えること無しに、とりあえずコピーで第二の記録媒体内の番組データを第一の記録媒体に記録することも有り得る。この場合、コピー後に消去するつもりであったコピー元の番組データを第二の記録媒体から消去し忘れることがある。そうすると、消去しても利用者にとって差し支えない番組データが、消去されずに第二の記録媒体内に残ったままになってしまうため、第二の記録媒体の残りの記憶容量が少なくなる。
【００１２】
以上のことからわかるように、従来の記録装置では利用者の使い勝手が悪いという問題がある。
【００１３】
従って、本発明の目的は、記録装置の利便性を向上することにある。具体的には、例えば、第一の記録媒体に第二の記録媒体から番組データをコピー或いは移動することのできる記録装置の利便性を向上することにある。
【課題を解決するための手段】
【００１４】
本発明の第一の側面に従う記録装置は、第一の記録媒体を受け付ける受付け手段と、前記受付け手段が受けた第一の記録媒体に、映像、音声及び文字のうちの少なくとも一つのデータを含んだ番組データを記録する記録手段と、前記番組データが前記第一の記録媒体に記録されてからの経過時間を計時する計時手段と、前記計時された経過時間が一定時間になっても前記受けた第一の記録媒体が交換されること無く受けたままになっているか否かを検知する検知手段と、受けたままになっているとの第一の検知結果が得られた場合に前記第一の記録媒体が受けたままになっていることを利用者に通知する通知手段とを備える。
【００１５】
本発明の第二の側面に従う記録装置は、第一の記録媒体を受け付ける受付け手段と、映像、音声及び文字のうちの少なくとも一つのデータを含んだ番組データを記憶することができる第二の記録媒体と、前記番組データを前記第二の記録媒体に記憶させ、前記第二の記録媒体に記憶させた番組データを前記第一の記録媒体にコピーすることで、前記第一の記録媒体に該番組データの記録を行う記録手段と、前記番組データが前記第一の記録媒体にコピーされてからの経過時間を計時する計時手段と、前記計時された経過時間が一定時間になってもコピー元の番組データが前記第二の記録媒体に記憶されたままになっているか否かを検知する検知手段と、記憶されたままになっているとの第一の検知結果が得られた場合に前記コピー元の番組データを削除候補として利用者に提示する提示手段とを備える。
【００１６】
前記第一の記録媒体は、例えば、可搬型の記録媒体であって、具体的には、例えば、ＤＶＤ（Digital Versatile Disk）、或いは、着脱可能なハードディスクドライブ（以下、リムーバブルＨＤＤ）とすることができる。従って、前記受付け手段は、例えば、ＤＶＤなどのディスク媒体を搭載することができるトレーを備えた装置とすることができるし、或いは、リムーバブルＨＤＤを取り付けることができるコネクタとすることもできる。
【００１７】
前記第二の記録媒体は、着脱可能であっても着脱不能であっても良い。
【００１８】
「第一の記録媒体に記録されてからの経過時間」とは、第一の記録媒体に番組データの記録が行われる場合における所定のタイミングからの経過時間という意味である。その所定のタイミングは、例えば、番組データの記録が開始された時点、その記録が終了した時点、又はその間の所定時点とすることができる。
【００１９】
上述した各記録装置は、テレビジョン装置に接続可能なレコーダとすることができるが、それに限らず、他種の記録装置、例えば、録画機能を備えたテレビジョン装置であっても良い。また、上記の番組データは、テレビジョン放送用の番組データに限らず、別種の番組データ、例えば、ラジオ番組のデータであっても良い。
【００２０】
上述した各手段は、ハードウェア（例えば回路）、コンピュータプログラム、或いはそれらの組み合わせ（例えば、コンピュータプログラムを読み込んで実行する一又は複数のＣＰＵ）によって実現することもできる。各コンピュータプログラムは、コンピュータマシンに備えられる記憶資源（例えばメモリ）から読み込むことができる。その記憶資源には、ＣＤ−ＲＯＭやＤＶＤ等の第一の記録媒体を介してインストールすることもできるし、インターネットやＬＡＮ等の通信ネットワークを介してダウンロードすることもできる。
【発明の効果】
【００２１】
本発明の第一及び第二の側面に従う記録装置によれば、従来よりも利便性を向上することができる。
【図面の簡単な説明】
【００２２】
【図１】本発明の一実施形態において、記憶装置１に電源が投入された場合に行われる処理の流れの一例を示す。
【図２】本発明の一実施形態において、コピーｆｌａｇの設定を行う処理の流れの一例を示した図である。
【図３】本発明の一実施形態において、コピーｆｌａｇの解除を行う処理の流れの一例を示した図である。
【図４】本発明の別の実施形態において、蓄積手段１３に存在するコピー元となる番組データの消去を利用者に促す処理の流れの一例を示す図である。
【図５】本発明の一実施形態に係る記録装置の構成例を示す図である。
【図６】本発明の一実施形態において、記録媒体が搭載されたままである場合の利用者に対するメッセージの表示例を示す。
【図７】本発明の別の実施形態において、削除候補の番組データが蓄積手段１３に存在する場合の利用者に対するメッセージの表示例を示す。
【発明を実施するための形態】
【００２３】
以下、本発明の一実施形態に係る記録装置について図面を用いて説明する。
【００２４】
図５は、本発明の一実施形態に係る記録装置の構成例を示す図である。
【００２５】
記録装置１は、放送信号を受信するアンテナ２と、受信した放送信号のチャンネル選択、信号復調および映像信号生成を行うチューナ／復調部３と、復調された映像信号のデジタルデータ変換およびエンコード（例えば、ＭＰＥＧ２方式の符号化によるデータ圧縮）を行う受信処理部４と、受信処理部４の出力信号をＭＰＥＧ２方式のプログラムストリーム（Program Stream、以下「ＰＳ」と略記する）やトランスポートストリーム（Transport Stream、以下「ＴＳ」と略記する）等のデータ構造に変換する記録／再生管理部７とを備えている。
【００２６】
このような各構成要素により記録することが可能となった番組データは、蓄積手段１３に記録されるか、あるいは、記録媒体管理部１４を経て図示しない記録媒体に記録される。本実施形態で言う蓄積手段１３は、本発明で言う第二の記録媒体に相当し、具体的には、例えば、内蔵型のＨＤＤである。一方、本実施形態で言う記録媒体は、本発明で言う第一の記録媒体に相当し、具体的には、例えば、ＤＶＤである。
【００２７】
記録装置１からの信号出力は、記録／再生管理部７、再生信号処理部５及び出力処理部６によって行われる。すなわち、記録／再生管理部７が、記録媒体に記録されたＰＳまたはＴＳフォーマットの信号から映像及び音声のデータを分離抽出する。再生信号処理部５が、映像信号のデコード（つまり復号処理）および復号信号のＤ／Ａ（デジタル／アナログ）変換を実施する。出力処理部６が、テレビモニタ等への映像音声信号の出力処理を行う。
【００２８】
また、記録装置１は、利用者からの入力を受け付けるための入力処理部８と、記録装置１の時刻管理を行う時刻管理部１０と、所定の構成要素に対する電力の供給や遮断を制御する電源管理部１１と、蓄積データ管理手段１２とを備えている。
【００２９】
制御部９は、例えば、ＣＰＵ（Central Processing Unit）であり、記録／再生管理部７と、入力処理部８と、時刻管理部１０と、電源管理部１１と、蓄積データ管理手段１２の動作を制御することができる。
【００３０】
記録装置１の利用者は、例えば、図示しない入力装置（例えばリモートコントローラ）を用いて、種々の操作を行う。入力処理部８は、入力装置から受信した信号を制御部９に出力する。制御部９は、受信した信号に基づいて種々の制御を実行する。例えば、利用者が所望したチャンネルが選択されるようチューナ／復調部３を制御したり、そのチャンネルの番組データを蓄積手段１３に記録しながらその番組データが表す映像や音声を出力したりすることができる。
【００３１】
蓄積データ管理手段１２は、蓄積手段１３に記憶されている番組データなどの情報を管理するとともに、蓄積手段１３から記録媒体管理部１４への番組データのコピーあるいは移動に関する情報を管理することができる。また、蓄積データ管理手段１２は、記録媒体管理部１４を介して、記録装置１に記録媒体が搭載されているか否かを管理することもできる。
【００３２】
図１は、記憶装置１に電源が投入された場合に行われる処理の流れの一例を示す。
【００３３】
制御部９は、利用者が記録装置１の電源ＯＮキーを入力（操作）したことを検出すると（S101）、記録装置１の起動処理を実施する（S102）。
【００３４】
起動処理が終了すると、制御部９は、コピーｆｌａｇがＯＮ（有効）か否かを判定する（S103）。コピーｆｌａｇは、図２のＳ２０７にあるように、蓄積手段１３から記録媒体に対して番組データのコピーが行われた際にＯＮ（有効）に設定される情報であり、例えば、蓄積手段１３に記録される。このような処理は、コピーｆｌａｇがＯＮ（有効）であった場合に行うものであり、Ｓ１０３でコピーｆｌａｇがＯＦＦ（無効）であった場合には、このような処理は行われない。
【００３５】
制御部９は、Ｓ１０３でコピーｆｌａｇがＯＮ（有効）であった場合（S103：Yes）、記録装置１内に記録媒体が搭載されているか否かを判定する（S104）。記録媒体が搭載されていた場合（S104：Yes）、タイマーがすでに作動中か否かの判定を行う（S105）。なお、タイマーは、記録媒体に番組データがコピー或いは移動されてからの経過時間（ｔ１）を計時する手段であって、例えば制御部９或いは蓄積データ管理手段１２が備えることができる。その計時された経過時間（ｔ１）が一定時間（Ｔ０）が経過するまでの間に、記録媒体に対する所定種類の操作、例えば、記録媒体の取り外し、または、該記録媒体内の番組データの再生が行われた場合に、タイマーが計時した経過時間（ｔ１）はクリア（例えば０）される。
【００３６】
制御部９は、Ｓ１０５でタイマーが作動していなかった場合（S105：No）、タイマーの設定を行う（つまりタイマーを作動させる）（S106）。
【００３７】
制御部９は、Ｓ１０５においてタイマーがすでに作動中であった場合は、そのタイマーによって計時されている経過時間（ｔ１）の判定処理を行う（S107）。Ｓ１０７で行う処理は、タイマーにより計時された経過時間（ｔ１）が特定時間（Ｔ０）に達したか否かの判定処理である。特定時間（Ｔ０）の値は、予め設定された固定値としてもよいし、利用者が手動で設定変更可能な値であってもよい。
【００３８】
制御部９は、経過時間（ｔ１）が特定時間（Ｔ０）に達していなかった場合（S107：No）、Ｓ１０３に戻り、コピーｆｌａｇが解除されていないか判定を行ったうえで、Ｓ１０７に遷移し経過時間（ｔ１）の監視を継続する。経過時間（ｔ１）が特定時間（Ｔ０）に達した場合（S107：Yes）、Ｓ１０７からＳ１０８に移行し、蓄積データ管理手段１２および記録媒体管理部１４を利用して記録媒体の記録可能サイズ（Ｒ１）を取得する。
【００３９】
制御部９は、Ｓ１０８で取得した記録媒体の記録可能サイズ（Ｒ１）（つまり、記録可能な残りの記録容量）について判定を行う（S109）。記録可能サイズ（Ｒ１）が規定値（Ｒ０）に満たなかった場合（S109：Yes）、利用者に対してメッセージ表示などの情報通知を行う（S111）。Ｓ１０８とＳ１０９により、利用者への通知のタイミングがより適切なものになる。すなわち、記録可能サイズ（Ｒ１）が規定値（Ｒ０）以上あれば、更に別の番組を録画することが考えられ、それ故、記録媒体の取り出しを忘れているわけでは無い可能性が高いが、記録可能サイズ（Ｒ１）が規定値（Ｒ０）未満の場合には、更に別の番組が記録される可能性が少なく、故に、記録媒体の取り出しを忘れている可能性が高い。このような状況を考慮すると、Ｓ１０８とＳ１０９により、利用者への通知のタイミングをより適切にすることができる。
【００４０】
ここで、図１のステップＳ１１１におけるメッセージの表示例を、図６に示す。
【００４１】
メッセージ画面６００は、例えば、記録装置１が接続されている表示装置のディスプレイ画面に表示される。メッセージ画面６００には、一例として「番組コピー済みの記録媒体が本体に入ったままです。」というメッセージが表示される。また、メッセージ画面６００の構成例では、記憶媒体に存在する「番組名と記録日時」６０１の表示を行っている。ここで、番組名は、図２のステップＳ２０４における管理情報から取得し、記録日時は図２のステップＳ２０８で取得したコピー日時とすることができる。さらに、操作を選択するための選択ボタン「視聴する」６０２、「媒体排出」６０３、「キャンセル」６０４を表示することで、利用者は、指定された番組に対して所望の処理を行うことが容易となる。具体的には、「視聴する」６０２が選択された場合、制御部９は、その記録媒体内の番組データを再生することができる。「媒体排出」６０３が選択された場合、制御部９は、記録媒体の排出操作を行うことができる。
【００４２】
なお、このメッセージ画面６００は、それが表示された後、一定時間経過しても利用者から何の操作も行われない場合には、自動的に消去されてもよい。また、メッセージ画面６００の構成はこれに限るものではない。
【００４３】
さて、制御部９は、図１のＳ１１１で利用者への通知を行った後、タイマーが計時した経過時間（ｔ１）のクリアを行い、処理を終了する（S112）。
【００４４】
また、Ｓ１０９で記録可能サイズ（Ｒ１）が規定値（Ｒ０）以上であった場合、制御部９は、利用者への通知は行わず、Ｓ１１０に移行してコピーｆｌａｇをＯＦＦ（無効）に設定し処理を終了する。
【００４５】
以上が、図１に示す処理流れの説明である。なお、図１に示す処理の順序や構成はこれに限るものではなく、例えば、Ｓ１１２の経過時間（ｔ１）のクリア後に、Ｓ１１０のコピーｆｌａｇのＯＦＦ設定（無効）を行うような構成としても構わない。この場合、Ｓ１１１は一回のみ行われることになり、その後は行われない。また、Ｓ１１１における利用者への通知は、テレビモニタへのメッセージ表示に限らず、例えば警告音による通知やLED点滅、携帯電話へのEメール送信など種々の通知方法を取りうる。また、Ｓ１０７でＹｅｓの後にＳ１１１が行われても良い。また、Ｓ１０７でＮｏの場合、Ｓ１０３に戻るのではなくＥＮＤとなっても良い。
【００４６】
図２は、コピーｆｌａｇの設定を行う処理の流れの一例を示した図である。
【００４７】
制御部９は、利用者から例えば、リモコンキーの操作などが行われた場合（S201：Yes）、利用者の操作が記録媒体に関するもの（例えば再生或いは排出）か否かを判定する（S202）。操作が記録媒体に関するものであった場合（S202：Yes）、記録媒体の処理を行う（S300）。記録媒体の処理については図３に示す。
【００４８】
制御部９は、利用者の操作が記録媒体以外の記録装置１に関するものであった場合（S202：No）、利用者が記録媒体への番組データのコピーを要求したか否かを判定する（S203）。
【００４９】
制御部９は、記録媒体への番組データのコピーが要求されていた場合（S203：Yes）、コピー元、すなわち蓄積手段１３の番組データに、記録媒体へのコピーが行われたことを示す管理情報（図では「ＩＤｘ」と記載）を付加する処理を行う（S204）。
【００５０】
制御部９は、蓄積手段１３から記録媒体への番組データコピーが行われ（S205）、そのコピーの終了が識別されると（S206：Yes）、コピーｆｌａｇの設定（ＯＮ）を行い（S207）、さらにコピーを行った日時を記録する（S208）。その日時は、管理情報に埋め込むことができる。
【００５１】
制御部９は、番組データのコピーが終了した後、記録装置１の電源を切るか否かを判定する（S209）。例えば、コピー元からコピー先に対して番組データの記録ビットレートを変換しながらコピーを行うような場合、コピーに要する時間が長くなることが多く、このためコピー終了後に装置の電源を切る（ＯＦＦにする）といった設定が行われることがある。電源をＯＦＦにするよう設定されている場合は（S209：Yes）、記録装置１の電源をＯＦＦにする処理を実施する（S210）。
【００５２】
一方、利用者から番組データのコピー以外の要求がなされていた場合（S203：No）、制御部９は、利用者からの要求に対する判別処理を進める（S211）。Ｓ２１１では、利用者の要求が蓄積手段１３に存在する番組データの再生に関するものか否かの判定を行っている。
【００５３】
制御部９は、番組データの再生が要求されていた場合は（S211：Yes）、要求された番組データが管理情報を持つか否か、すなわち蓄積手段１３から記録媒体に対してコピーが実施されたことがある番組データか否かの判定処理を行う（S212）。ここで、「再生」とは、１倍速での再生に限らず、他種の再生、例えば、１倍速より大きな又は小さな倍速での再生（つまり早送り或いはスロー再生）であっても良いし、負の再生（例えば巻き戻し）であっても良い。
【００５４】
制御部９は、利用者から再生を要求された番組データが管理情報を持つ番組データであった場合は（S212：Yes）、その番組データから管理情報を削除した後（S213）、要求のあった番組データの再生を行う（S214）。
【００５５】
制御部９は、利用者の要求が番組データの再生以外であった場合は（S211：No）、利用者の要求に応じた処理を実行する（S215）。ここでは各処理については省略する。
【００５６】
ここで、Ｓ２１２からＳ２１３に至る処理は、蓄積手段１３内に存在する管理情報の番組データを利用者が必要としている可能性が高いことを示している。管理情報は、コピー元の番組データが未操作のまま蓄積手段１３内に残っている場合に、利用者に対して該番組データの削除を行うか否かを確認するための情報として設けたものである。このため、Ｓ２１２で管理情報が付加されている番組データの再生が指定された場合、該番組データの必要性が高いと判断し、Ｓ２１３で管理情報を削除している。管理情報を削除することにより、以後、該番組データに対する利用者への削除確認（つまり、削除候補とされなくなる）は行われなくなる。
【００５７】
図３は、コピーｆｌａｇの解除を行う処理の流れの一例を示した図である。なお、図１と実質的に同じ処理が行われるステップには同じ番号を付し、特に必要のない限りその説明を省略する（これは後の図４についても同様である）。
【００５８】
制御部９は、記録装置１に記録媒体が搭載されているか否かの判定を行う（S301）。記録媒体が搭載されていなかった場合は（S301：No）、利用者に対して記録媒体の搭載を促すメッセージを表示し（S304）、処理を終了する。
【００５９】
制御部９は、記録媒体が搭載されていた場合は、該記録媒体が蓄積手段１３から番組データをコピーされた記録媒体であるか否かを判別する（S103）。
【００６０】
制御部９は、コピーｆｌａｇがＯＮ（有効）であれば（S103:Yes）、蓄積手段１３から番組データをコピーされた記録媒体に該当するため、タイマーが作動中であれば（S105:Yes）、タイマーの計時した経過時間（ｔ１）をクリアし（S302）、コピーｆｌａｇをＯＦＦ（無効）に設定する（S110）。その後、利用者から指定された記録媒体に対する処理を実行する（S303）。
【００６１】
本実施形態によれば、蓄積手段１３から記録媒体に対して番組データのコピー或いは移動が行われた場合、所定タイミング（例えば番組データのコピーの開始或いは終了）から一定時間が経過したか否かが監視され、その記録媒体内の番組データ（特に、コピー或いは移動した番組データ）が再生されることなく一定時間経過した場合に限り、記録媒体が搭載されっぱなしであることが利用者に対して通知される。すなわち、本実施形態によれば、記録媒体が一定時間搭載されっぱなしであれば一律にその旨を利用者に対して通知するのではなく、利用者が記録媒体の取り外しを忘れていると考えられる状況を検知しそれが検知された場合に上記の通知を行うのである。これにより、利用者にとっての使い勝手を向上することができる。
【００６２】
また、本実施形態によれば、該記録媒体に対して所定種類の操作が行われた場合に、コピーｆｌａｇがＯＦＦ（無効）に設定される。これにより、利用者が該記録媒体の存在を認識している可能性が高い場合には上記の通知を行わないようにすることができる。
【００６３】
さて、本発明については、以下のような別の実施形態が考えられる。その別の実施形態では、番組データに付加された管理情報が利用される。以下、上記実施形態との相違点を主に説明し、共通点については説明を省略或いは簡略する。
【００６４】
図４は、本発明の別の実施形態において、蓄積手段１３に存在するコピー元となる番組データの消去を利用者に促す処理の流れの一例を示す。
【００６５】
制御部９は、記録装置１の起動処理後（S102）、コピーｆｌａｇがＯＮ（有効）であった場合、すなわち、蓄積手段１３から記録媒体に対して番組データのコピーが行われた記録がある場合（S103：Yes）、蓄積手段１３内に管理情報を持つ番組データが存在するか否かの判定処理を行う（S401）。
【００６６】
制御部９は、蓄積手段１３内に管理情報を持つ番組データが存在していた場合は（S401：Yes）、蓄積手段１３の残容量（つまり残りの記憶可能な容量）を取得する（S402）。
【００６７】
制御部９は、蓄積手段１３の残容量に基づく判定処理を行う（S403）。残容量が所定値以上にある場合は（S403：No）、Ｓ１１０のコピーＦｌａｇ解除を経て、処理を終了する。なお、残容量の判定は、例えば予め設定した閾値と残容量との比較を行うことで実施する。
【００６８】
制御部９は、蓄積手段１３の残容量が所定値未満（つまり残り少ない）と判断された場合（S403：Yes）、別のタイマーの設定を行う（S405）。Ｓ４０６は、別のタイマーにより計時された経過時間（ｔ２）の監視処理であり、ここでは、特定時間（Ｔ１）との比較を行っている。特定時間（Ｔ１）は、例えば、蓄積手段１３に保持されている設定値であり、その値は自由に変更することができてもよい。
【００６９】
制御部９は、経過時間（ｔ２）が特定時間（Ｔ１）に達していることが検出された場合（S406：Yes）、利用者に通知を行う（S407）。この別の実施形態において、Ｓ４０７での通知は、蓄積手段１３の残容量が少ない場合にのみ行われる。図７に、その通知における表示メッセージ７００の一例を示す。つまり、Ｓ４０７での通知では、削除候補の番組データが通知される。この表示メッセージ７００には、「削除する」ボタン６０５を設けておき、そのボタン６０５が選択された場合、制御部９は、通知した削除候補の番組データを蓄積手段（例えばＨＤＤ）１３から削除することができる。
【００７０】
制御部９は、利用者に通知を行った後、別のタイマーが計時した経過時間（ｔ２）のクリアを行い（S408）、Ｓ１１０を経て処理を終了する。
【００７１】
なお、図４に示す処理の順序や構成はこれに限るものではなく、例えば、Ｓ４０８におけるタイマー（ｔ２）のクリアと、ステップＳ１１０のコピーｆｌａｇのＯＦＦ設定（無効）を行わない構成とすることも可能である。この場合、例えば特定時間（Ｔ１）を数ヶ月というオーダにすることで、利用者に対して、Ｓ４０７に示す通知を数ヶ月毎に行うことができる。また、Ｓ４０６でＮｏの場合、Ｓ１０３に戻ることなくＥＮＤになっても良い。
【００７２】
以上、この別の実施形態によれば、蓄積手段１３から記録媒体に番組データがコピーされた場合、蓄積手段１３内の複数の番組データのうち記録媒体にコピーされた番組データがどれであるかや、コピー元の番組データのうち単に消去し忘れられている番組データがどれであるかということを判別し、消去し忘れられていると考えられる番組データを利用者に提示することができる。利用者は、提示された内容を見て、消し忘れであると確認できたらその番組データを蓄積手段１３から消去することができる。これにより、蓄積手段１３に無駄なデータが残ったままになってしまうことを防ぐことができる。
【００７３】
以上、本発明の幾つかの実施形態を説明したが、これらは本発明の説明のための例示であって、本発明の範囲をこれらの実施形態にのみ限定する趣旨ではない。本発明は、他の種々の形態でも実施することが可能である。例えば、記録装置１の起動後、図１のＳ１０３以降の処理と図４のＳ４０１以降の処理を並行して或いは順次に実行してもよい。
【符号の説明】
【００７４】
１…放送受信記録装置、２…アンテナ、３…チューナ／復調部、４…受信処理部、５…再生信号処理部、６…出力処理部、７…記録／再生管理部、８…入力処理部、９…制御部、１０…時刻管理部、１１…電源管理部、１２…蓄積データ管理手段、１３…蓄積手段、１４…記録媒体管理部
【図１】
2010250941.tif 000003
【図２】
2010250941.tif 000004
【図３】
2010250941.tif 000005
【図４】
2010250941.tif 000006
【図５】
2010250941.tif 000007
【図６】
2010250941.tif 000008
【図７】
2010250941.tif 000009
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
第一の記録媒体を受け付ける受付け手段と、
映像、音声及び文字のうちの少なくとも一つのデータを含んだ番組データを記憶することができる第二の記録媒体と、
前記番組データを前記第二の記録媒体に記録し、前記第二の記録媒体に記憶させた番組データを前記第一の記録媒体にコピーすることで、前記第一の記録媒体に該番組データの記録を行う記録手段と、
前記番組データが前記第一の記録媒体にコピーされてからの経過時間を計時する計時手段と、
前記計時された経過時間が一定時間になってもコピー元の番組データが前記第二の記録媒体に記憶されたままになっているか否かを検知する検知手段と、
記憶されたままになっているとの第一の検知結果が得られた場合に前記コピー元の番組データを削除候補として利用者に提示する提示手段と
を備える記録装置。
【請求項２】
前記第二の記録媒体に記憶されている番組データを再生する再生手段と、
前記計時された経過時間が一定時間になる前に前記コピー元の番組データが再生されたか否かを検知する別の検知手段と
を更に備え、
前記提示手段が、前記第一の検知結果に加え、前記コピー元の番組データの再生が検知されなかったとの第二の検知結果が得られた場合に、前記コピー元の番組データを削除候補として前記利用者に提示する、
請求項１記載の記録装置。
【請求項３】
前記第二の記録媒体の残りの記憶容量を判断する残容量判断手段を更に備え、
前記提示手段が、前記第一の検知結果に加え、前記判断された残りの記憶容量が所定値以下であるとの判断結果を得た場合に、前記コピー元の番組データを削除候補として前記利用者に提示する、
請求項１又は２記載の記録装置。